(57)【要約】【課題】空気調和機の本体に内蔵されたフィルタ清掃部のブラシがフィルタのごみを除去する構造とするとともに、集塵ボックス内に収容できるごみの量を増やし、集塵ボックス内に溜まったごみの除去にかける手数を省くことができる空気調和機を提供する。【解決手段】集塵ボックス１３ａ内に、収容されたごみを圧縮する手段として、フィルタ５の空気の吸込側である上面にごみが付着するので、集塵ボックス１３ａの上部を構成する前記トップカバー１９に、第２清掃ブラシ１８によって除去されたごみを掻き込む回転可能に駆動モータ２２と軸支されている掻込部２０と、掻き込んだごみを押し込む回転可能に駆動モータ２３と軸支されている押込部２１を設け、これらを動作させることにより、収容されたごみを圧縮するようにしている。【選択図】  図３
2004347246.tif 000002
【特許請求の範囲】
【請求項１】
本体に設けられた吸込口と吹出口とを結ぶ空気通路に、除塵用のフィルタと、送風ファンとを夫々配置してなる空気調和機において、
前記本体内に、前記フィルタを往復的に移動させるスライド手段と、前記フィルタの移動経路に沿って前記フィルタと接触するように配置され、前記フィルタの表面を清掃するブラシと、同ブラシを収容する集塵ボックスからなるフィルタ清掃装置とを設けるとともに、
前記集塵ボックス内に、前記ブラシによって除去された塵埃を掻き込む掻込部を設けてなることを特徴とする空気調和機。
【請求項２】
本体に設けられた吸込口と吹出口とを結ぶ空気通路に、除塵用のフィルタと、送風ファンとを夫々配置してなる空気調和機において、
前記本体内に、前記フィルタを往復的に移動させるスライド手段と、前記フィルタの移動経路に沿って前記フィルタと接触するように配置され、前記フィルタの表面を清掃するブラシと、同ブラシを収容する集塵ボックスからなるフィルタ清掃装置とを設けるとともに、
前記ブラシによって除去された塵埃を掻き込む掻込部と、掻き込んだ塵埃を押し込む押込部を設けてなることを特徴とする空気調和機。
【請求項３】
前記掻込部と対向する側に、同掻込部のガイドとなるガイド壁を設けてなることを特徴とする請求項１または２に記載の空気調和機。
【発明の詳細な説明】
【０００１】
【発明の属する技術分野】
本発明は、空気調和機に係わり、より詳細には本体に内蔵されたフィルタ清掃部に備えられたブラシがフィルタの塵埃を清掃するものであって、集塵ボックス内に収容する塵埃を多量に貯留するための構造に関する。
【０００２】
【従来の技術】
従来の空気調和機は、例えば本体の前面から上面にかけて設けられた吸込口と本体の下部に設けられた吹出口とを結ぶ空気通路に、フィルタと熱交換器と送風機とフィルタ清掃装置を備えた空気調和機において、フィルタを本体筐体の吸込口の内側に沿って回動させる回動手段と、フィルタ上のごみを除去するごみ除去手段とごみ収納部とから構成されるフィルタ清掃装置を備え、複雑に折れ曲がったフィルタ上のごみを自動的に清掃する機能付きの空気調和機がある（例えば、特許文献１参照。）。
【０００３】
また、特願２００２−１８７７０８に記載されているように、本体内に、フィルタを本体の内外に向けて往復的に移動させるスライド手段と、フィルタの移動経路に沿ってフィルタと接触するように配置されたフィルタ清掃部を設けた構造としたものがある。そしてこのフィルタ清掃部は、フィルタの一方の面のごみを除去する第１清掃ブラシを有するボトムカバーと、同ボトムカバーに開閉可能に取付られ、フィルタの他方の面のごみを除去する第２清掃ブラシを有するトップカバーとを備えた集塵ボックスから構成されている。
【０００４】
しかしながら、いずれの従来例においても、フィルタ上に溜まったごみをブラシなどで掻き出して除去する構造であり、ごみ収納部や集塵ボックス内に収容できるごみの量には限界があり、こまめにごみを除去する必要が生じ、ごみの除去に手数がかかる恐れのある問題点を有していた。
【０００５】
【特許文献１】
特開２００２−５５０４号公報（第１頁、第１図）
【０００６】
【発明が解決しようとする課題】
本発明においては、上記の問題点に鑑み、空気調和機の本体に内蔵されたフィルタ清掃部のブラシがフィルタのごみを除去する構造とするとともに、集塵ボックス内に収容できるごみの量を増やし、集塵ボックス内に溜まったごみの除去にかける手数を省くことができる空気調和機を提供することを目的とする。
【０００７】
【課題を解決するための手段】
本発明は、上記問題点を解決するため、本体に設けられた吸込口と吹出口とを結ぶ空気通路に、除塵用のフィルタと、送風ファンとを夫々配置してなる空気調和機において、
前記本体内に、前記フィルタを往復的に移動させるスライド手段と、前記フィルタの移動経路に沿って前記フィルタと接触するように配置され、前記フィルタの表面を清掃するブラシと、同ブラシを収容する集塵ボックスからなるフィルタ清掃装置とを設けるとともに、
前記集塵ボックス内に、前記ブラシによって除去された塵埃を掻き込む掻込部を設けた構成となっている。
【０００８】
本体に設けられた吸込口と吹出口とを結ぶ空気通路に、除塵用のフィルタと、送風ファンとを夫々配置してなる空気調和機において、
前記本体内に、前記フィルタを往復的に移動させるスライド手段と、前記フィルタの移動経路に沿って前記フィルタと接触するように配置され、前記フィルタの表面を清掃するブラシと、同ブラシを収容する集塵ボックスからなるフィルタ清掃装置とを設けるとともに、
前記ブラシによって除去された塵埃を掻き込む掻込部と、掻き込んだ塵埃を押し込む押込部を設けた構成となっている。
【０００９】
前記掻込部と対向する側に、同掻込部のガイドとなるガイド壁を設けた構成となっている。
【００１０】
【発明の実施の形態】
以下、本発明の実施の形態を、添付図面に基づいた実施例として説明する。図１は本発明による空気調和機の概略構成を示す要部断面図であり、図２は本発明による空気調和機のフィルタを本体外に引き出した状態を示す要部断面図であり、図３は本発明によるフィルタ清掃装置を示す要部拡大断面図であり、図４は本発明による一実施例のごみを圧縮する手順を示す要部拡大断面図である。
なお、従来と同じ部分の符号は同一とする。
【００１１】
図１および図２において、１は空気調和機の本体、２は本体１の前面から上面にかけて形成された吸込口、３は本体１の下部に形成された吹出口である。吸込口２と吹出口３を結ぶ空気通路４には、空気中の粗ごみを取り除くフィルタ５と送風機６、熱交換器７が配置されている。熱交換器７は、ドレンパン８の上部に配置された略垂直部７ａと、その後方から傾斜させた傾斜部７ｂとより形成されている。
【００１２】
９はベースで、同ベース９の上端側には上面パネル１０が取り付けられ、下端側には前面パネル１１が取り付けられている。同前面パネル１１はベース９の両側板を覆うように形成された左右一対の側板を含み、ベース９に着脱可能に固定されている。前面パネル１１の前面には、フィルタ５が本体１外に引出される際に開閉される開閉パネル１２が一体的に設けられている。
【００１３】
図２で示すように、開閉パネル１２は、上端側を中心に回転可能に軸支されており、フィルタ５の往方向移動時には、他端側がフィルタ５によって持ち上げられ、フィルタ５が本体１外に引出される。フィルタ５は、上面パネル１０の吸込口２と熱交換器７との間に設けられ、熱交換器７に向かう空気中に含まれるごみを除去する。
１３はフィルタ５に付着したごみを清掃するためのフィルタ清掃装置である。
【００１４】
フィルタ清掃装置１３は、図３の要部拡大断面図で示すように、ボトムカバー１７と、トップカバー１９とからなる集塵ボックス１３ａを設け、フィルタ５を本体の内外に向けて往復的に移動させるスライド手段１４（駆動モータ）と、フィルタ５の一方の面のごみを除去する第１清掃ブラシ１５を有するボトムカバー１７と、フィルタ５の他方の面のごみを除去する第２清掃ブラシ１８を有するトップカバー１９とから構成されている。
【００１５】
本発明は、前記集塵ボックス１３ａ内に、収容されたごみを圧縮する手段として、前記フィルタ５の空気の吸込側である上面にごみが付着するので、前記集塵ボックス１３ａの上部を構成する前記トップカバー１９に、前記第２清掃ブラシ１８によって除去されたごみを掻き込む回転可能に駆動モータ２２と軸支されている掻込部２０と、掻き込んだごみを押し込む回転可能に駆動モータ２３と軸支されている押込部２１を設け、これらを動作させることにより、収容されたごみを圧縮するようにしている。
【００１６】
また、前記トップカバー１９内の上部から垂下させ、前記掻込部２０のガイドとなる前記掻込部２０と対向する側を湾曲に形成し、その先端をＬ字状に延出させたガイド壁１６を設けて、ごみが前記掻込部２０の上方に散らばるのを防ぎ、前記掻込部２０に掻き込み易くしている。
【００１７】
次に、図４に従って、ごみを圧縮する手順について説明する。
図４（Ａ）で示すように、前記掻込部２０が回転し、ごみＧを掻き込む、図４（Ｂ）の位置まで掻き込んだ後、前記押込部２１が図の矢印の方向に回転し、ごみＧを押し込む。この動作を連続して行うため、図４（Ｃ）で示すように、前記掻込部２０が更に回転し、図４（Ｄ）のように、前記掻込部２０がある程度回転した後、前記押込部２１が戻る。この後、図４（Ａ）の状態となり、再び、ごみＧの圧縮を開始し、この動作を繰り返し行う。
【００１８】
この動作を繰り返し行うことにより、回収されたごみＧが圧縮され、多量のごみＧを収容することができ、ごみＧの除去回数の低減を図れる。また、ごみＧを奥へ掻き込み圧縮するため、回収したごみＧが前記トップカバー１９内から外部へ漏れることを防止できる。前記集塵ボックス１３ａ内にごみＧが一杯になった場合には、前記前面パネル１１を開け、前記集塵ボックス１３ａを取り外して、内部に溜まったごみＧを除去すればよい。
【００１９】
上記構成において、前記集塵ボックス１３ａ内に、ごみＧを掻き込む前記掻込部２０と、掻き込んだごみＧを押し込む前記押込部２１を設け、これらを動作させることにより、収容されたごみＧを圧縮するようにしており、ごみ収納部や集塵ボックス１３ａ内に収容できるごみの量には限界があり、こまめにごみを除去する必要が生じ、ごみの除去に手数がかかる恐れのある問題点をなくすことができる。
【００２０】
【発明の効果】
以上説明したように、本発明による空気調和機によれば、空気調和機の本体に内蔵されたフィルタ清掃部のブラシがフィルタのごみを除去する構造とするとともに、集塵ボックス内に収容できるごみの量を増やし、集塵ボックス内に溜まったごみの除去にかける手数を省くことができる空気調和機となる。
【図面の簡単な説明】
【図１】本発明による空気調和機の概略構成を示す要部断面図である。
【図２】本発明による空気調和機のフィルタを本体外に引き出した状態を示す要部断面図である。
【図３】本発明によるフィルタ清掃装置を示す要部拡大断面図である。
【図４】本発明による一実施例のごみを圧縮する手順を示す要部拡大断面図である。
【符号の説明】
１  本体
２  吸込口
３  吹出口
４  空気通路
５  フィルタ
６  送風機
７  熱交換器
８  ドレンパン
９  ベース
１０  上面パネル
１１  前面パネル
１２  開閉パネル
１３  フィルタ清掃装置
１３ａ  集塵ボックス
１４  スライド手段（駆動モ─タ）
１５  第１清掃ブラシ
１６  ガイド壁
１７  ボトムカバー
１８  第２清掃ブラシ
１９  トップカバー
２０  掻込部
２１  押込部
２２、２３  駆動モータ
【図１】
2004347246.tif 000003
【図２】
2004347246.tif 000004
【図３】
2004347246.tif 000005
【図４】
2004347246.tif 000006